(57)【要約】【課題】無線ＬＡＮにおいて、データ転送方法をデータの種類に合わせ動的に変更することで、転送速度の向上を図る。【解決手段】無線ＬＡＮシステムにおいて、サーバ（１０）に対し、ファイルの転送を要求するクライアント（４０）と、前記クライアント（４０）から前記ファイルの転送要求を受信し、前記ファイルが圧縮されていれば通信設定を「圧縮なし」に設定して設定後の通信では無圧縮にて通信を行い、圧縮されていなければ通信設定を「圧縮あり」に設定して設定後の通信ではデータ圧縮して通信を行う中継装置（３０）と、前記サーバ（１０）に接続され、前記中継装置（３０）との間で無線ＬＡＮで通信し、且つ、前記中継装置（３０）からの設定要求に応じて、「圧縮なし」又は「圧縮あり」に設定し、「圧縮なし」であれば設定後の通信では無圧縮にて通信を行い、圧縮されていなければ「圧縮あり」であれば設定後の通信ではデータ圧縮して通信を行うアクセスポイント（２０）とを用いる。【選択図】図１
2008005173.tif 000002
【特許請求の範囲】
【請求項１】
サーバに対し、ファイルの転送を要求するクライアントと、
前記クライアントから前記ファイルの転送要求を受信し、前記ファイルが圧縮されていれば通信設定を「圧縮なし」に設定して設定後の通信では無圧縮にて通信を行い、圧縮されていなければ通信設定を「圧縮あり」に設定して設定後の通信ではデータ圧縮して通信を行う中継装置と、
前記サーバに接続され、前記中継装置との間で無線ＬＡＮで通信し、且つ、前記中継装置からの設定要求に応じて、「圧縮なし」又は「圧縮あり」に設定し、「圧縮なし」であれば設定後の通信では無圧縮にて通信を行い、圧縮されていなければ「圧縮あり」であれば設定後の通信ではデータ圧縮して通信を行うアクセスポイントと
を具備する
無線ＬＡＮシステム。
【請求項２】
請求項１に記載の無線ＬＡＮシステムにおいて、
前記クライアントは、前記ファイルのファイル名に含まれる拡張子を参照して前記ファイルが圧縮されているかどうかを判断し、前記ファイルが圧縮されていれば前記中継装置に対して「圧縮なし」に設定するよう要求し、圧縮されていなければ前記中継装置に対して「圧縮あり」に設定するよう要求する
無線ＬＡＮシステム。
【請求項３】
請求項１に記載の無線ＬＡＮシステムにおいて、
前記中継装置は、前記ファイルのファイル名に含まれる拡張子を参照して前記ファイルが圧縮されているかどうかを判断し、前記ファイルが圧縮されていれば通信設定を「圧縮なし」に設定して設定後の通信では無圧縮にて通信を行い、圧縮されていなければ通信設定を「圧縮あり」に設定して設定後の通信ではデータ圧縮して通信を行う
無線ＬＡＮシステム。
【請求項４】
請求項１に記載の無線ＬＡＮシステムにおいて、
前記中継装置は、一旦、前記サーバから前記ファイルを受信し、前記ファイルの圧縮率を確認し、前記圧縮率が閾値よりも高ければ通信設定を「圧縮あり」に設定して設定後の通信ではデータ圧縮して通信を行い、前記圧縮率が閾値よりも低ければ通信設定を「圧縮なし」に設定して設定後の通信では無圧縮にて通信を行う
無線ＬＡＮシステム。
【請求項５】
請求項１に記載の無線ＬＡＮシステムにおいて、
前記サーバは、前記ファイルのファイル名に含まれる拡張子を参照して前記ファイルが圧縮されているかどうかを判断し、前記ファイルが圧縮されていれば前記アクセスポイントに対して「圧縮なし」に設定するよう要求し、圧縮されていなければ前記アクセスポイントに対して「圧縮あり」に設定するよう要求する
無線ＬＡＮシステム。
【請求項６】
請求項１に記載の無線ＬＡＮシステムにおいて、
前記アクセスポイントは、一旦、前記サーバから前記ファイルを受信し、前記ファイルの圧縮率を確認し、前記圧縮率が閾値よりも高ければ通信設定を「圧縮あり」に設定して設定後の通信ではデータ圧縮して通信を行い、前記圧縮率が閾値よりも低ければ通信設定を「圧縮なし」に設定して設定後の通信では無圧縮にて通信を行う
無線ＬＡＮシステム。
【請求項７】
請求項１乃至６のいずれか一項に記載の無線ＬＡＮシステムにおいて、
前記クライアントと前記中継装置とが一体化している
無線ＬＡＮシステム。
【請求項８】
請求項１乃至７のいずれか一項に記載の無線ＬＡＮシステムにおいて、
前記サーバは、前記クライアントからのファイル転送要求に応じて、前記ファイルのデータの先頭部分を圧縮して転送し、且つ、前記ファイルのデータの先頭部分を圧縮せずに転送し、圧縮して転送した時の転送速度と圧縮せずに転送した時の転送速度とが異なっていればファイルは圧縮されていないと判断し、通信設定を「圧縮あり」に設定して設定後の通信ではデータ圧縮して通信を行い、圧縮して転送した時の転送速度と圧縮せずに転送した時の転送速度とが同じであればファイルは圧縮されていると判断し、通信設定を「圧縮なし」に設定して設定後の通信では無圧縮にて通信を行う
無線ＬＡＮシステム。
【請求項９】
無線ＬＡＮを介して通信するための通信部と、
前記無線ＬＡＮを介して転送を要求されたファイルが圧縮されていれば通信設定を「圧縮なし」に設定して設定後の通信では無圧縮にて通信を行い、圧縮されていなければ通信設定を「圧縮あり」に設定して設定後の通信ではデータ圧縮して通信を行うモード切替部と
を具備する
通信装置。
【請求項１０】
請求項９に記載の通信装置において、
前記ファイルのファイル名に含まれる拡張子に基づき、前記ファイルがファイルが圧縮されているかどうかを判定する拡張子識別部と
を更に具備する
通信装置。
【請求項１１】
請求項９又は１０に記載の通信装置において、
前記ファイルの圧縮率を確認し、前記圧縮率に基づき前記ファイルが圧縮されているかどうかを判定する第１の圧縮率確認部と
を更に具備する
通信装置。
【請求項１２】
請求項９乃至１１のいずれか一項に記載の通信装置において、
前記ファイルのデータの先頭部分が圧縮されて転送された時の転送速度と圧縮されずに転送された時の転送速度とが異なっていればファイルは圧縮されていないと判断し、圧縮されて転送された時の転送速度と圧縮されずに転送された時の転送速度とが同じであればファイルは圧縮されていると判断する第２の圧縮率確認部と
を更に具備する
通信装置。
【請求項１３】
請求項９乃至１２のいずれか一項に記載の通信装置において、
前記ファイルの転送を要求する時、前記ファイルを指定するためのファイル指定部
を更に具備する
通信装置。
【請求項１４】
（ａ）ファイルの転送を要求するステップと、
（ｂ）前記ファイルの転送要求を受信し、前記ファイルが圧縮されていれば通信設定を「圧縮なし」に設定して設定後の通信では無圧縮にて通信を行い、圧縮されていなければ通信設定を「圧縮あり」に設定して設定後の通信ではデータ圧縮して通信を行うステップと
を具備する
圧縮処理の自動最適化方法。
【請求項１５】
請求項１４に記載の圧縮処理の自動最適化方法において、
（ｃ）前記ファイルのファイル名に含まれる拡張子を参照して前記ファイルが圧縮されているかどうかを判断するステップと
を更に具備する
圧縮処理の自動最適化方法。
【請求項１６】
請求項１４又は１５に記載の圧縮処理の自動最適化方法において、
（ｄ）前記ファイルの転送を中継する中継装置に対して、前記ファイルが圧縮されていれば通信設定を「圧縮なし」に設定して設定後の通信では無圧縮にて通信を行うよう要求し、圧縮されていなければ通信設定を「圧縮あり」に設定して設定後の通信ではデータ圧縮して通信を行うよう要求するステップと
を更に具備する
圧縮処理の自動最適化方法。
【請求項１７】
請求項１４乃至１６のいずれか一項に記載の圧縮処理の自動最適化方法において、
（ｅ）前記ファイルを受信して前記ファイルの圧縮率を確認するステップと、
（ｆ）前記圧縮率が閾値よりも高ければ通信設定を「圧縮あり」に設定して設定後の通信ではデータ圧縮して通信を行い、前記圧縮率が閾値よりも低ければ通信設定を「圧縮なし」に設定して設定後の通信では無圧縮にて通信を行うステップと
を更に具備する
圧縮処理の自動最適化方法。
【請求項１８】
請求項１４乃至１７のいずれか一項に記載の圧縮処理の自動最適化方法において、
（ｇ）前記ファイルのデータの先頭部分を圧縮して転送するステップと、
（ｈ）前記ファイルのデータの先頭部分を圧縮せずに転送するステップと、
（ｉ）前記ファイルを圧縮して転送した時の転送速度と圧縮せずに転送した時の転送速度とが異なっていればファイルは圧縮されていないと判断し、通信設定を「圧縮あり」に設定して設定後の通信ではデータ圧縮して通信を行い、圧縮して転送した時の転送速度と圧縮せずに転送した時の転送速度とが同じであればファイルは圧縮されていると判断し、通信設定を「圧縮なし」に設定して設定後の通信では無圧縮にて通信を行うステップと
を更に具備する
圧縮処理の自動最適化方法。
【請求項１９】
請求項１４乃至１８のいずれか一項に記載の圧縮処理の自動最適化方法を、コンピュータに実行させるためのプログラム。
【発明の詳細な説明】
【技術分野】
【０００１】
本発明は、無線ＬＡＮシステムに関し、特に無線ＬＡＮのデータ通信における圧縮処理の自動最適化を行う無線ＬＡＮシステムに関する。
【背景技術】
【０００２】
通信の高速化により、データ通信形態やデータの種類も多様化してきている。その中で、データの種類とデータの通信方法を最適化させ、より効率の良い通信を行うことで、通信品質の向上が求められている。
【０００３】
特に、無線ＬＡＮ（Ｌｏｃａｌ  Ａｒｅａ  Ｎｅｔｗｏｒｋ）においては、拡張技術として無線ＬＡＮ間でデータ圧縮を行う方式が存在するが、この場合、例えば、既に１次圧縮がなされているデータに対し、更に２次圧縮をしてデータを転送しても効果はなく、２次圧縮の処理にかかる演算の分だけかえって転送速度が下がることがありうる。
【０００４】
関連する技術として、特開２００１−１１１４３２号公報（特許文献１）にデータ圧縮制御装置が開示されている。
このデータ圧縮制御装置は、送信すべきデータの圧縮処理を制御するデータ圧縮制御装置であって、データを圧縮する圧縮手段と、送信すべきデータについての処理経路を選択する経路選択手段と、を備え、前記経路選択手段は、送信すべきデータを前記圧縮手段によって圧縮するか否かを、データを送信する通信インターフェイスの物理的又は論理的な種別に応じて決定することを特徴とする。
【０００５】
また、特開２００１−２７５１１２号公報（特許文献２）にデータ圧縮装置が開示されている。
このデータ圧縮装置は、データ伝送を行うデータ送信装置に用いられるデータ圧縮装置であって、入力データの種類を示す情報に応じて第１の送信モード又は第２の送信モードを選択する送信モード選択手段と、前記入力データを圧縮してデータ出力端子に送出するデータ圧縮手段と、前記第１の送信モードに応じて前記入力データをデータ出力端子に送出し、前記第２の送信モードに応じて前記入力データを前記データ圧縮手段に送出するための切替手段と、を含むことを特徴とする。
【０００６】
特開２００４−０６４１７１号公報（特許文献３）に情報処理装置が開示されている。
この従来技術は、は、デジタルの映像データを無線により送信可能な情報処理装置において、前記デジタルの映像データを第１の圧縮率で圧縮する第１のビデオデータ圧縮部と、前記デジタルの映像データを第２の圧縮率で圧縮する第２のビデオデータ圧縮部と、無線の通信状況を検出する検出手段と、前記検出手段によって検出された無線の通信状況に応じて、前記第１のビデオデータ圧縮部と前記第２のビデオデータ圧縮部を切り替えて映像データを出力する切換手段と、を具備したことを特徴とする。
【０００７】
特開２００５−１５９７７４号公報（特許文献４）に画像電送装置が開示されている。
この従来技術は、画像データを通信回線を介して送受信する画像電送装置であって、画像データを入力するための画像入力手段と、前記画像データが圧縮画像でない場合には圧縮画像に符号化すると共に、圧縮画像を他の異なる圧縮率で再符号化する画像符号化手段と、前記圧縮画像の容量を検出する圧縮画像容量検出手段と、前記圧縮画像を送信する時に通信の電送レートを検出する電送レート検出手段と、前記圧縮画像容量検出手段にて検出された圧縮画像容量と前記電送レート検出手段にて検出された電送レートを基に、前記圧縮画像の電送時間を算出する電送時間算出手段と、前記算出された電送時間を基に、前記圧縮画像を更に高圧縮率にて画像圧縮するか否かを判断する画像圧縮変換判定手段と、前記画像圧縮変換判定手段により再圧縮を行う否かを判断するパラメータを記憶する判定条件記憶手段とを具備することを特徴とする。
【０００８】
特開平５−１４５４３７号公報（特許文献５）にデータ伝送システムが開示されている。
このデータ伝送システムは、データを圧縮する圧縮処理部と、通信回線の速度やデータ圧縮時間から、データの圧縮処理を施す場合に、データの圧縮処理を施して送信し受信し復元されるまでの伝送にかかる伝送実行時間と、データの圧縮処理を施さない場合に、データを送信し受信されるまでの伝送にかかる伝送実行時間とを予測し、予測した伝送実行時間から、データの圧縮処理を施した圧縮データを送信するか、施さないデータを送信するかをデータ送信前に判断するデータ伝送時間予測部と、上記データ伝送時間予測部の判断に基づいてデータを送信するデータ送信実行部とを有することを特徴とする。
【０００９】
特開平１０−２９４７６９号公報（特許文献６）に中継装置が開示されている。
コンピューターネットワークに接続され、該ネットワークを介して通信データを通信する中継装置において、通信データのプロトコルヘッダの制御情報別に、データの圧縮・非圧縮及び圧縮する場合はその圧縮方式を格納した圧縮判断テーブルと、通信データのプロトコルヘッダから前記テーブルにエントリされている制御情報を取得する制御情報取得手段と、この制御情報取得手段により取得された制御情報をキーとして前記圧縮判断テーブルを検索し対応する圧縮種別にしたがって、圧縮の要否及び圧縮する場合にはその圧縮方式を判定するデータ圧縮判定手段とを有する圧縮方式選択手段、前記圧縮判定手段により前記通信データの圧縮が必要とされた時に前記通信データを圧縮して圧縮通信データを生成するデータ圧縮手段と、前記データ圧縮判定手段により前記通信データの圧縮が不要と判定された時には前記通信データを、前記通信データの圧縮が必要と判定された時には前記圧縮通信データを送信データとして送信する送信手段とを備える。
【００１０】
【特許文献１】特開２００１−１１１４３２号公報
【特許文献２】特開２００１−２７５１１２号公報
【特許文献３】特開２００４−０６４１７１号公報
【特許文献４】特開２００５−１５９７７４号公報
【特許文献５】特開平５−１４５４３７号公報
【特許文献６】特開平１０−２９４７６９号公報
【発明の開示】
【発明が解決しようとする課題】
【００１１】
本発明の目的は、データの種類にあわせ、転送方法を最適化する無線ＬＡＮシステムを提供することである。
本発明の他の目的は、データ転送方法をデータの種類に合わせ動的に変更することで、転送速度の向上を図る無線ＬＡＮシステムを提供することである。
【課題を解決するための手段】
【００１２】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【００１３】
本発明の無線ＬＡＮシステムは、サーバ（１０）に対し、ファイルの転送を要求するクライアント（４０）と、前記クライアント（４０）から前記ファイルの転送要求を受信し、前記ファイルが圧縮されていれば通信設定を「圧縮なし」に設定して設定後の通信では無圧縮にて通信を行い、圧縮されていなければ通信設定を「圧縮あり」に設定して設定後の通信ではデータ圧縮して通信を行う中継装置（３０）と、前記サーバ（１０）に接続され、前記中継装置（３０）との間で無線ＬＡＮで通信し、且つ、前記中継装置（３０）からの設定要求に応じて、「圧縮なし」又は「圧縮あり」に設定し、「圧縮なし」であれば設定後の通信では無圧縮にて通信を行い、圧縮されていなければ「圧縮あり」であれば設定後の通信ではデータ圧縮して通信を行うアクセスポイント（２０）とを具備する。
【００１４】
前記クライアント（４０）は、前記ファイルのファイル名に含まれる拡張子を参照して前記ファイルが圧縮されているかどうかを判断し、前記ファイルが圧縮されていれば前記中継装置（３０）に対して「圧縮なし」に設定するよう要求し、圧縮されていなければ前記中継装置（３０）に対して「圧縮あり」に設定するよう要求する。
【００１５】
前記中継装置（３０）は、前記ファイルのファイル名に含まれる拡張子を参照して前記ファイルが圧縮されているかどうかを判断し、前記ファイルが圧縮されていれば通信設定を「圧縮なし」に設定して設定後の通信では無圧縮にて通信を行い、圧縮されていなければ通信設定を「圧縮あり」に設定して設定後の通信ではデータ圧縮して通信を行う。
【００１６】
前記中継装置（３０）は、一旦、前記サーバ（１０）から前記ファイルを受信し、前記ファイルの圧縮率を確認し、前記圧縮率が閾値よりも高ければ通信設定を「圧縮あり」に設定して設定後の通信ではデータ圧縮して通信を行い、前記圧縮率が閾値よりも低ければ通信設定を「圧縮なし」に設定して設定後の通信では無圧縮にて通信を行う。
【００１７】
前記サーバ（１０）は、前記ファイルのファイル名に含まれる拡張子を参照して前記ファイルが圧縮されているかどうかを判断し、前記ファイルが圧縮されていれば前記アクセスポイント（２０）に対して「圧縮なし」に設定するよう要求し、圧縮されていなければ前記アクセスポイント（２０）に対して「圧縮あり」に設定するよう要求する。
【００１８】
前記アクセスポイント（２０）は、一旦、前記サーバ（１０）から前記ファイルを受信し、前記ファイルの圧縮率を確認し、前記圧縮率が閾値よりも高ければ通信設定を「圧縮あり」に設定して設定後の通信ではデータ圧縮して通信を行い、前記圧縮率が閾値よりも低ければ通信設定を「圧縮なし」に設定して設定後の通信では無圧縮にて通信を行う。
【００１９】
本発明の無線ＬＡＮシステムは、前記クライアント（４０）と前記中継装置（３０）とが一体化している。
【００２０】
本発明の無線ＬＡＮシステムは、前記サーバ（１０）は、前記クライアント（４０）からのファイル転送要求に応じて、前記ファイルのデータの先頭部分を圧縮して転送し、且つ、前記ファイルのデータの先頭部分を圧縮せずに転送し、圧縮して転送した時の転送速度と圧縮せずに転送した時の転送速度とが異なっていればファイルは圧縮されていないと判断し、通信設定を「圧縮あり」に設定して設定後の通信ではデータ圧縮して通信を行い、圧縮して転送した時の転送速度と圧縮せずに転送した時の転送速度とが同じであればファイルは圧縮されていると判断し、通信設定を「圧縮なし」に設定して設定後の通信では無圧縮にて通信を行う。
【００２１】
本発明の通信装置（２０，３０，４０）は、無線ＬＡＮを介して通信するための通信部（２１，３１，４１）と、前記無線ＬＡＮを介して転送を要求されたファイルが圧縮されていれば通信設定を「圧縮なし」に設定して設定後の通信では無圧縮にて通信を行い、圧縮されていなければ通信設定を「圧縮あり」に設定して設定後の通信ではデータ圧縮して通信を行うモード切替部（２２，３２，４５）とを具備する。
【００２２】
本発明の通信装置（３０，４０）は、前記ファイルのファイル名に含まれる拡張子に基づき、前記ファイルがファイルが圧縮されているかどうかを判定する拡張子識別部（３３，４３）とを更に具備する。
【００２３】
本発明の通信装置（３０，４０）は、前記ファイルの圧縮率を確認し、前記圧縮率に基づき前記ファイルが圧縮されているかどうかを判定する第１の圧縮率確認部（３４，４４）とを更に具備する。
【００２４】
本発明の通信装置（３０，４０）は、前記ファイルのデータの先頭部分が圧縮されて転送された時の転送速度と圧縮されずに転送された時の転送速度とが異なっていればファイルは圧縮されていないと判断し、圧縮されて転送された時の転送速度と圧縮されずに転送された時の転送速度とが同じであればファイルは圧縮されていると判断する第２の圧縮率確認部（３４，４４）とを更に具備する。
【００２５】
本発明の通信装置（４０）は、前記ファイルの転送を要求する時、前記ファイルを指定するためのファイル指定部（４２）を更に具備する。
【００２６】
本発明の圧縮処理の自動最適化方法は、（ａ）ファイルの転送を要求するステップと、
（ｂ）前記ファイルの転送要求を受信し、前記ファイルが圧縮されていれば通信設定を「圧縮なし」に設定して設定後の通信では無圧縮にて通信を行い、圧縮されていなければ通信設定を「圧縮あり」に設定して設定後の通信ではデータ圧縮して通信を行うステップとを具備する。
【００２７】
本発明の圧縮処理の自動最適化方法は、（ｃ）前記ファイルのファイル名に含まれる拡張子を参照して前記ファイルが圧縮されているかどうかを判断するステップとを更に具備する。
【００２８】
本発明の圧縮処理の自動最適化方法は、（ｄ）前記ファイルの転送を中継する中継装置（３０）に対して、前記ファイルが圧縮されていれば通信設定を「圧縮なし」に設定して設定後の通信では無圧縮にて通信を行うよう要求し、圧縮されていなければ通信設定を「圧縮あり」に設定して設定後の通信ではデータ圧縮して通信を行うよう要求するステップとを更に具備する。
【００２９】
本発明の圧縮処理の自動最適化方法は、（ｅ）前記ファイルを受信して前記ファイルの圧縮率を確認するステップと、（ｆ）前記圧縮率が閾値よりも高ければ通信設定を「圧縮あり」に設定して設定後の通信ではデータ圧縮して通信を行い、前記圧縮率が閾値よりも低ければ通信設定を「圧縮なし」に設定して設定後の通信では無圧縮にて通信を行うステップとを更に具備する。
【００３０】
本発明の圧縮処理の自動最適化方法は、（ｇ）前記ファイルのデータの先頭部分を圧縮して転送するステップと、（ｈ）前記ファイルのデータの先頭部分を圧縮せずに転送するステップと、（ｉ）前記ファイルを圧縮して転送した時の転送速度と圧縮せずに転送した時の転送速度とが異なっていればファイルは圧縮されていないと判断し、通信設定を「圧縮あり」に設定して設定後の通信ではデータ圧縮して通信を行い、圧縮して転送した時の転送速度と圧縮せずに転送した時の転送速度とが同じであればファイルは圧縮されていると判断し、通信設定を「圧縮なし」に設定して設定後の通信では無圧縮にて通信を行うステップと
を更に具備する。
【発明の効果】
【００３１】
実効通信速度の向上が見込める。また、これにより更に通信データ量を上げることが可能になるため、動画配信等リアルタイム性を要求されるメディアにおいてはより高品質なデータ通信が可能になる。
【発明を実施するための最良の形態】
【００３２】
以下に本発明の第１実施形態について添付図面を参照して説明する。
図１に、実施例の構成を示す。
本発明の無線ＬＡＮシステムは、サーバ１０と、無線ＬＡＮアクセスポイント（親機）２０と、無線ＬＡＮ端末（子機）３０と、クライアント４０とを有する。
【００３３】
サーバ１０は、クライアント４０に転送するデータを格納するものであり、例えば、ＦＴＰ（Ｆｉｌｅ  Ｔｒａｎｓｆｅｒ  Ｐｒｏｔｏｃｏｌ）もしくはＨＴＴＰ（ＨｙｐｅｒＴｅｘｔ  Ｔｒａｎｓｆｅｒ  Ｐｒｏｔｏｃｏｌ）というデータ通信プロトコルのサーバの役割を持つ。なお、データ通信プロトコルは、ＦＴＰ及びＨＴＴＰに限定されない。ＦＴＰ及びＨＴＴＰは、ファイルを転送する際に圧縮する必要性が高い通信プロトコルの一例である。実際には、サーバ１０〜クライアント４０間で利用可能なデータ通信プロトコルであれば良い。また、ここでは、サーバ１０は、パソコン又はワークステーションといった一般的なコンピュータを想定している。但し、前述の例に限定されるものではなく、実際には、サーバ１０はＦＴＰもしくはＨＴＴＰというデータ通信プロトコルに対応した通信装置であれば良い。例えば、携帯端末（携帯電話機、ＰＤＡ）、情報家電（テレビ、録画装置、その他デジタル家電）、ゲーム機（携帯型、家庭用）、ＩＰ電話装置を使用することも考えられる。
【００３４】
無線ＬＡＮアクセスポイント（親機）２０、無線ＬＡＮ端末（子機）３０は、両者を接続することで、サーバ１０〜クライアント４０間の無線ＬＡＮ通信を提供するものである。無線ＬＡＮアクセスポイント（親機）２０はサーバ１０側に位置する。無線ＬＡＮ端末（子機）３０はクライアント４０側に位置する。ここでは、無線ＬＡＮアクセスポイント（親機）２０と無線ＬＡＮ端末（子機）３０との間は無線ＬＡＮにて通信している。サーバ１０と無線ＬＡＮアクセスポイント（親機）２０との間、及び、無線ＬＡＮ端末（子機）３０とクライアント４０との間は、有線、無線を問わない。
【００３５】
クライアント４０は、ユーザが操作することで、サーバ１０からデータを受信する。例えば、ＦＴＰもしくはＨＴＴＰというデータ通信プロトコルのクライアントの役割を持つ。なお、データ通信プロトコルは、ＦＴＰ及びＨＴＴＰに限定されない。ＦＴＰ及びＨＴＴＰは、ファイルを転送する際に圧縮する必要性が高い通信プロトコルの一例である。実際には、サーバ１０〜クライアント４０間で利用可能なデータ通信プロトコルであれば良い。また、ここでは、クライアント４０は、パソコン又はワークステーションといった一般的なコンピュータを想定している。但し、前述の例に限定されるものではなく、実際には、クライアント４０はＦＴＰもしくはＨＴＴＰというデータ通信プロトコルに対応した通信装置であれば良い。例えば、携帯端末（携帯電話機、ＰＤＡ）、情報家電（テレビ、録画装置、その他デジタル家電）、ゲーム機（携帯型、家庭用）、ＩＰ電話装置を使用することも考えられる。すなわち、サーバ１０及びクライアント４０は、同じ構成の装置を用いても良い。
【００３６】
以下、実施例の動作についてダウンロードの場合を例に説明するが、アップロード時も同様である。
図２に、圧縮済みファイル転送時の動作を示す。
（１）ステップＳ１０１
まず、クライアント４０からサーバ１０に対し、ファイルの転送を要求する際、ファイル名を指定する。ファイル名の指定については、キーボード（文字入力）やマイク（音声入力）によるクライアント４０への直接入力により行う。或いは、サーバ１０が保有するファイルの一覧をクライアント４０の表示装置に表示し、マウスやキーボードを操作して該ファイル一覧の中から所望のファイルを選択するようにしても良い。
この時、ファイルの拡張子よりファイルの圧縮がされているかどうかを識別することが可能である。例えば、一般的には、ファイルを圧縮した際、圧縮形式に応じて、ファイル名に「ｚｉｐ」「ｌｚｈ」「ｔｇｚ」といった圧縮形式を示す拡張子が付与されることが多い。この圧縮形式を示す拡張子がファイル名に含まれているかを確認することで、ファイルの圧縮がされているかどうかを識別することが可能である。なお、「ＧＩＦ」「ＪＰＧ（ＪＰＥＧ）」「ＰＮＧ」といった拡張子が付与されている場合、画像の圧縮形式であると識別することが可能である。
（２）ステップＳ１０２
クライアント４０にて、ファイルが圧縮されていることを検出した場合、クライアント４０は無線ＬＡＮ端末（子機）３０に対し、圧縮を行わないよう指示を出す。
（３）ステップＳ１０３
無線ＬＡＮ端末（子機）３０は、指示を受け、以降の通信について無圧縮にて通信を行うよう、無線ＬＡＮアクセスポイント（親機）２０との間にて通信設定の再設定を行う。場合によっては、一旦接続を切断し、再接続するという動作を行う。
（４）ステップＳ１０４
再設定後、クライアント４０からサーバ１０に対し、ファイルの転送を要求する。
（５）ステップＳ１０５
ファイル転送要求に応じて、サーバ１０からクライアント４０に対し、ファイルを転送する。
【００３７】
図２では、クライアント４０が、ファイルの拡張子よりファイルの圧縮がされているかどうかを識別し、ファイルが圧縮されていることを検出した場合、無線ＬＡＮ端末（子機）３０に対し、圧縮を行わないよう指示を出している。但し、実際には、無線ＬＡＮ端末（子機）３０が、これらの動作を行うようにしても良い。例えば、無線ＬＡＮ端末（子機）３０が、クライアント４０から指定されたファイル名を受信し、ファイル名に含まれる拡張子よりファイルの圧縮がされているかどうかを識別する。ファイルが圧縮されていることを検出した場合、無線ＬＡＮアクセスポイント（親機）２０との間にて再設定を行うようにする。その他の動作は、図２の場合と同様である。
【００３８】
この時、無線ＬＡＮ端末（子機）３０は、圧縮／非圧縮のモード切替を速やかに行う機能を有する。この機能は、無線ＬＡＮ端末（子機）３０のＣＰＵ（図示されず）が備えていても良い。
【００３９】
また、クライアント４０は、転送するファイルの拡張子を識別する機能を有する。この機能は、クライアント４０のＣＰＵ（図示されず）が備えていても良い。なお、クライアント４０の代わりに無線ＬＡＮ端末（子機）３０がファイルの拡張子を識別する場合、無線ＬＡＮ端末（子機）３０が、転送するファイルの拡張子を識別する機能を有する。
【００４０】
すなわち、図３に示すように、無線ＬＡＮ端末（子機）３０は、無線ＬＡＮ通信部３１と、モード切替部３２とを備える。更に、必要に応じて、拡張子識別部３３を備える。無線ＬＡＮ通信部３１は、無線ＬＡＮアクセスポイント（親機）２０及びクライアント４０と無線ＬＡＮで通信する。例えば、アンテナ又は通信用インタフェースを示す。モード切替部３２は、圧縮／非圧縮のモード切替を速やかに行う。拡張子識別部３３は、転送するファイルの拡張子を識別する。
【００４１】
また、図４に示すように、クライアント４０は、無線ＬＡＮ通信部４１と、ファイル名指定部４２と、拡張子識別部４３とを備える。無線ＬＡＮ通信部４１は、無線ＬＡＮ端末（子機）３０を介してサーバ１０と無線ＬＡＮで通信する。ファイル名指定部４２は、ファイル名を入力するための入力欄、又は、ファイル名を選択するためのファイル名の一覧を表示し、ファイル名の入力又は選択を受け付ける。拡張子識別部４３は、転送するファイルの拡張子を識別する。
【００４２】
図５に、無圧縮ファイル転送時の動作を示す。
（１）ステップＳ２０１
まず、クライアント４０からサーバ１０に対し、ファイルの転送を要求する際、ファイル名を指定する。この時、ファイルの拡張子よりファイルの圧縮がされているかどうかを識別することが可能である。
（２）ステップＳ２０２
クライアント４０にて、ファイルが圧縮されていないことを検出した場合、クライアント４０は無線ＬＡＮ端末（子機）３０に対し、圧縮を行うよう指示を出す。
（３）ステップＳ２０３
無線ＬＡＮ端末（子機）３０は、指示を受け、以降の通信についてデータ圧縮して通信を行うよう、無線ＬＡＮアクセスポイント（親機）２０との間にて再設定を行う。場合によっては、一旦接続を切断し、再接続するという動作を行う。
（４）ステップＳ２０４
再設定後、クライアント４０からサーバ１０に対し、ファイルの転送を要求する。
（５）ステップＳ２０５
ファイル転送要求に応じて、サーバ１０からクライアント４０に対し、ファイルを転送する。
【００４３】
以下に本発明の第２実施形態について説明する。
転送するファイルの拡張子だけでは識別不能な場合については、以下のように行う。
図６に、拡張子で判別不能、無線ＬＡＮ端末（子機）３０側にてモードを切り替える場合の動作を示す。
（１）ステップＳ３０１
クライアント４０からサーバ１０に対し、ファイルの転送を要求する。ここでは、通信設定の初期設定は「圧縮なし」としている。或いは、何も設定されていない状態とする。何も設定されていない場合、「圧縮なし」と判断するものとする。
（２）ステップＳ３０２
ファイル転送要求に応じて、サーバ１０から無線ＬＡＮ端末（子機）３０に対し、ファイルを転送する。
（３）ステップＳ３０３
無線ＬＡＮ端末（子機）３０は、圧縮した状態／非圧縮の場合のデータサイズを確認する。例えば、受信データを圧縮し、その圧縮率を確認する。
（４）ステップＳ３０４
無線ＬＡＮ端末（子機）３０は、圧縮率が所定の閾値よりも高ければ、以降の通信についてデータ圧縮して通信を行うよう、無線ＬＡＮアクセスポイント（親機）２０との間にて「圧縮あり」に再設定を行う。場合によっては、一旦接続を切断し、再接続するという動作を行う。閾値は、予め設定されている。なお、圧縮率が所定の閾値と同じ場合、通信設定を「圧縮あり」としても良いし、「圧縮なし」としても良い。
（５）ステップＳ３０５
無線ＬＡＮ端末（子機）３０は、圧縮率が所定の閾値よりも低ければ、以降の通信について無圧縮にて通信を行うよう、無線ＬＡＮアクセスポイント（親機）２０との間にて「圧縮なし」に再設定を行う。場合によっては、一旦接続を切断し、再接続するという動作を行う。
（６）ステップＳ３０６
その後、無線ＬＡＮ端末（子機）３０は、クライアント４０にファイル転送の開始を通知する。この時、無線ＬＡＮ端末（子機）３０は、サーバ４０からクライアント４０に対するファイルの転送を許可する。すなわち、サーバ４０からクライアント４０へのファイル転送の中継を開始する。
（７）ステップＳ３０７
サーバ４０は、クライアント４０にファイルを転送する。圧縮ありの設定の場合、転送されるファイルは圧縮され、圧縮なしの設定の場合、転送されるファイルは圧縮されない。
【００４４】
このように、サーバ１０から送信されるデータを一旦無線ＬＡＮ端末（子機）３０にて、圧縮した状態／非圧縮の場合のデータサイズを確認する。この時の圧縮率に効果があれば、以降このファイルは圧縮ありで送信し、効果がなければ圧縮なしで送信する。
【００４５】
この時、図７に示すように、無線ＬＡＮ端末（子機）３０は、圧縮率確認部３４を更に具備する。圧縮率確認部３４は、ファイルの圧縮率を確認し、所定の閾値と比較する。なお、圧縮率確認部３４は、モード切替部３２に含まれていても良い。
【００４６】
以下に本発明の第３実施形態について説明する。
第１実施形態において、拡張子に基づいて、クライアント４０から無線ＬＡＮ端末（子機）３０に切り替え指示を出しているが、これはサーバ１０から、要求のあったファイルの拡張子に基づいて、無線ＬＡＮアクセスポイント（親機）２０に対して切り替えを要求することも可能である。
【００４７】
図８に、サーバ１０にて拡張子を判別、無線ＬＡＮアクセスポイント（親機）２０に設定変更させる場合の動作を示す。
（１）ステップＳ４０１
クライアント４０からサーバ１０に対し、ファイルの転送を要求する。ここでは、ファイルは圧縮済み形式であるものとする。
（２）ステップＳ４０２
サーバ１０は、要求されたファイルが圧縮済み形式であるため、無線ＬＡＮアクセスポイント（親機）２０に対し、「圧縮なし」に設定するように要求する。この時、サーバ１０は、ファイル名に含まれる拡張子を参照して、ファイルの圧縮がされているかどうかを識別する。或いは、クライアント４０からファイルの転送要求と同時に、ファイルの圧縮がされているかどうかの通知を受信する。
（３）ステップＳ４０３
無線ＬＡＮアクセスポイント（親機）２０は、以降の通信について無圧縮にて通信を行うよう、無線ＬＡＮ端末（子機）３０との間にて「圧縮なし」に設定を行う。場合によっては、一旦接続を切断し、再接続するという動作を行う。
（４）ステップＳ４０４
サーバ４０は、クライアント４０にファイルを転送する。この時、無線ＬＡＮアクセスポイント（親機）２０及び無線ＬＡＮ端末（子機）３０は、サーバ４０からクライアント４０に対するファイル転送を中継する。なお、ここでは「圧縮なし」に設定されているため、転送されるファイルの圧縮は行われていない。
【００４８】
この時、図９に示すように、サーバ１０は、無線ＬＡＮ通信部１１と、拡張子識別部１２を具備する。無線ＬＡＮ通信部１１は、無線ＬＡＮアクセスポイント（親機）２０を介してクライアント４０と無線ＬＡＮで通信する。拡張子識別部１２は、転送を要求されたファイルの拡張子を確認し、ファイルが圧縮済み形式であるかどうかを判定する。また、判定の結果に応じて、無線ＬＡＮアクセスポイント（親機）２０に設定の変更を要求する。
【００４９】
また、図１０に示すように、無線ＬＡＮアクセスポイント（親機）２０は、無線ＬＡＮ通信部２１と、モード切替部２２とを具備する。無線ＬＡＮ通信部２１は、サーバ１０及び無線ＬＡＮ端末（子機）３０と無線ＬＡＮで通信する。モード切替部２２は、圧縮／非圧縮のモード切替を速やかに行う。また、無線ＬＡＮ端末（子機）３０に対しても、圧縮／非圧縮のモード切替を要求する。或いは、モード切替を実行する。
【００５０】
以下に本発明の第４実施形態について説明する。
拡張子で識別不能な場合も同様に無線ＬＡＮアクセスポイントにて切り替えを行うことも可能である。
図１１に、拡張子で判別不能、無線ＬＡＮアクセスポイント（親機）２０側にてモードを切り替える場合の動作を示す。
（１）ステップＳ５０１
クライアント４０からサーバ１０に対し、ファイルの転送を要求する。ここでは、通信設定の初期設定は「圧縮なし」としている。或いは、何も設定されていない状態とする。何も設定されていない場合、「圧縮なし」と判断するものとする。
（２）ステップＳ５０２
ファイル転送要求に応じて、サーバ１０から無線ＬＡＮアクセスポイント（親機）２０に対し、ファイルを転送する。
（３）ステップＳ５０３
無線ＬＡＮアクセスポイント（親機）２０は、圧縮した状態／非圧縮の場合のデータサイズを確認する。例えば、受信データを圧縮し、その圧縮率を確認する。
（４）ステップＳ５０４
無線ＬＡＮアクセスポイント（親機）２０は、圧縮率が所定の閾値よりも高ければ、以降の通信についてデータ圧縮して通信を行うよう、無線ＬＡＮ端末（子機）３０との間にて「圧縮あり」に再設定を行う。場合によっては、一旦接続を切断し、再接続するという動作を行う。閾値は、予め設定されている。なお、圧縮率が所定の閾値と同じ場合、通信設定を「圧縮あり」としても良いし、「圧縮なし」としても良い。
（５）ステップＳ５０５
無線ＬＡＮアクセスポイント（親機）２０は、圧縮率が所定の閾値よりも低ければ、以降の通信について無圧縮にて通信を行うよう、無線ＬＡＮ端末（子機）３０との間にて「圧縮なし」に再設定を行う。場合によっては、一旦接続を切断し、再接続するという動作を行う。
（６）ステップＳ５０６
その後、無線ＬＡＮアクセスポイント（親機）２０は、クライアント４０にファイル転送の開始を通知する。この時、無線ＬＡＮアクセスポイント（親機）２０は、サーバ４０からクライアント４０に対するファイルの転送を許可する。すなわち、サーバ４０からクライアント４０へのファイル転送の中継を開始する。
（７）ステップＳ５０７
サーバ４０は、クライアント４０にファイルを転送する。圧縮ありの設定の場合、転送されるファイルは圧縮され、圧縮なしの設定の場合、転送されるファイルは圧縮されない。
【００５１】
この時、図１２に示すように、無線ＬＡＮアクセスポイント（親機）２０は、圧縮率確認部２３を更に具備する。圧縮率確認部２３は、ファイルの圧縮率を確認し、所定の閾値と比較する。なお、圧縮率確認部２３は、モード切替部２２に含まれていても良い。
【００５２】
以下に本発明の第５実施形態について説明する。
また、図１３に示すように、クライアント４０と無線ＬＡＮ端末（子機）３０は一体型でも実施可能である。この場合、先に説明した他の実施形態において、クライアント４０及び無線ＬＡＮ端末（子機）３０の動作は、同一の装置上で実現される。
【００５３】
以下に本発明の第６実施形態について説明する。
ここでは、有線ＬＡＮにおいての実施例について説明する。例えば、何らかの事情で、無線ＬＡＮアクセスポイント（親機）２０又は無線ＬＡＮ端末（子機）３０に障害が発生し、無線ＬＡＮで通信できなくなった場合、サーバ１０とクライアント４０が有線ＬＡＮを使用可能であれば、一時的に、この有線ＬＡＮで通信することが考えられる。
【００５４】
この場合、無線ＬＡＮの持つデータ圧縮は適用できなくなる。そのため、サーバ１０とクライアント４０間でのＴＣＰ上位にあるリアルタイム通信プロトコルなどにおいての適用となる。
【００５５】
初めに、サーバ１０はクライアント４０に対し、送信データのうち、ＩＰフレーム１つ分を無圧縮にて送信する。次に同じデータを圧縮して送信する。なお、無圧縮データの送信と圧縮データの送信は順不同である。すなわち、初めに、サーバ１０からクライアント４０に対し、送信データのうち、ＩＰフレーム１つ分を圧縮して送信し、次に同じデータを無圧縮にて送信するようにしても良い。
【００５６】
この時の転送速度をクライアント４０側で算出し、圧縮効果があればクライアント４０はデータ圧縮にて送信を要求、サーバ１０はデータを圧縮しながら送信する。効果がなければ圧縮は行わない。
【００５７】
なお、実際のＬＡＮの伝送路上に流れるデータは、ＩＰパケットを包むようにＭＡＣフレーム（Ｅｔｈｅｒｎｅｔ（登録商標）フレーム）という入れ物に入っている。ここでは、ＩＰフレームは、ＩＰパケットを含むＭＡＣフレームを示す。フレームは、ＯＳＩ基本参照モデルのレイヤー２（データリンク層）の通信で使われるＰＤＵ（プロトコル・データ・ユニット）の呼び名である。レイヤー２のプロトコルとしては，Ｅｔｈｅｒｎｅｔ（イーサネット：登録商標）、ＰＰＰ（ｐｏｉｎｔ  ｔｏ  ｐｏｉｎｔ  ｐｒｏｔｏｃｏｌ）、ＨＤＬＣ（ハイレベル・データリンク制御手順）がある。Ｅｔｈｅｒｎｅｔ（登録商標）ならＭＡＣフレーム、ＰＰＰならＰＰＰフレーム、ＨＤＬＣはＨＤＬＣフレームと呼ぶ。一方、パケットは、レイヤー３（ネットワーク層）の通信で使われる。
通常、ＩＰフレームのヘッダ情報は、宛先ＩＰアドレス、宛先ポート番号、送信元ＩＰアドレス、送信元ポート番号を含む。これは、ＩＰパケットのヘッダ情報でもあるため、ＩＰフレームとして、ＩＰパケット１つ分を無圧縮にて送信するようにしても良い。また、データ通信プロトコルがＨＴＴＰである場合、ＴＣＰフレームを利用することも考えられる。ＴＣＰフレームの場合、ＴＣＰフラグ（ＳＹＮ、ＡＣＫ、ＦＩＮ）の情報も含まれる。
【００５８】
図１４に、有線ＬＡＮを用いた場合の動作を示す。
（１）ステップＳ６０１
クライアント４０からサーバ１０に対し、ファイルの転送を要求する。
（２）ステップＳ６０２
サーバ１０からクライアント４０に対し、ファイルのデータの先頭部分を圧縮して転送する。例えば、ＩＰフレーム１つ分を圧縮して転送する。この時、送信時刻を付加情報として転送することも考えられる。
（３）ステップＳ６０３
サーバ１０からクライアント４０に対し、ファイルのデータの先頭部分を無圧縮にて転送する。例えば、ＩＰフレーム１つ分を無圧縮にて転送する。この時、送信時刻を付加情報として転送することも考えられる。なお、ステップＳ６０２とステップＳ６０３の実行順序は逆でも良い。
（４）ステップＳ６０４
クライアント４０は、受信したデータから、圧縮率、転送速度を算出し、圧縮するかどうかを判断する。圧縮率は、圧縮された受信データから算出しても良いし、実際に受信データを圧縮し、その圧縮率を確認しても良い。サーバ１０から圧縮率を通知される場合も考えられる。転送速度は、付加情報の送信時刻と、クライアント４０側での受信時刻に基づいて算出する。
この時、ＩＰフレーム１つ分を圧縮して転送した場合とＩＰフレーム１つ分を圧縮せずに転送した場合とを比べて、各々のサーバ１０〜クライアント４０間の転送速度に差異がなければファイルは圧縮されていると判断し、転送速度に差異があればファイルは圧縮されていないと判断するようにしても良い。
（５）ステップＳ６０５
その後、クライアント４０は、算出結果に基づき、圧縮モードを設定する。また、サーバ１０に対しても、圧縮モードの設定を要求する。サーバ１０は圧縮モードを再設定する。場合によっては、一旦接続を切断し、再接続するという動作を行う。
（６）ステップＳ６０６
サーバ１０からクライアント４０に対し、圧縮モードの設定に基づいて、ファイルの転送を開始する。
【００５９】
この時、図１５に示すように、クライアント４０は、更に、圧縮率確認部４４と、モード切替部４５とを具備する。圧縮率確認部４４は、ファイルの圧縮率又は転送速度を確認し、所定の閾値と比較する。モード切替部４５は、圧縮／非圧縮のモード切替を速やかに行う。なお、圧縮率確認部４４は、モード切替部４５に含まれていても良い。
【００６０】
ファイルの圧縮については、サーバ１０（又はクライアント４０）が備えるＣＰＵ（図示されず）にて行うものとする。但し、実際には、無線ＬＡＮアクセスポイント（親機）２０（又は無線ＬＡＮ端末（子機）３０）が備えるＣＰＵ（図示されず）にてファイルの圧縮を行うようにしても良い。本実施例では、ファイルの圧縮機能は、圧縮を行う通信装置の無線ＬＡＮ通信部に含まれているものとする。
【００６１】
なお、本発明の無線ＬＡＮシステムにおける各通信装置（サーバ１０、無線ＬＡＮアクセスポイント（親機）２０、無線ＬＡＮ端末（子機）３０、クライアント４０）の動作は、各通信装置の動作を定義したプログラムを、各通信装置のＣＰＵが実行することで実施することも可能である。
【００６２】
以上のように、本発明の特徴は、データの種類にあわせ、転送方法を最適化することにある。本発明では、データ転送方法をデータの種類に合わせ動的に変更することで、転送速度の向上を図る。
【図面の簡単な説明】
【００６３】
【図１】図１は、本発明の無線ＬＡＮシステムの第１の構成図である。
【図２】図２は、圧縮済みファイル転送時の動作を示すフローチャートである。
【図３】図３は、無線ＬＡＮ端末（子機）の構成を示す第１のブロック図である。
【図４】図４は、クライアントの構成を示す第１のブロック図である。
【図５】図５は、無圧縮ファイル転送時の動作を示すフローチャートである。
【図６】図６は、拡張子で判別不能、子機側にてモードを切り替える場合の動作を示すフローチャートである。
【図７】図７は、無線ＬＡＮ端末（子機）の構成を示す第２のブロック図である。
【図８】図８は、サーバにて拡張子を判別、親機に設定変更させる場合の動作を示すフローチャートである。
【図９】図９は、サーバの構成を示すブロック図である。
【図１０】図１０は、無線ＬＡＮアクセスポイント（親機）の構成を示す第１のブロック図である。
【図１１】図１１は、拡張子で判別不能、親機側にてモードを切り替える場合の動作を示すフローチャートである。
【図１２】図１２は、無線ＬＡＮアクセスポイント（親機）の構成を示す第２のブロック図である。
【図１３】図１３は、クライアントと子機が一体化した場合の構成図である。
【図１４】図１４は、有線ＬＡＮを使用する場合の動作を示すフローチャートである。
【図１５】図１５は、クライアントの構成を示す第２のブロック図である。
【符号の説明】
【００６４】
１０…  サーバ
１１…  無線ＬＡＮ通信部
１２…  拡張子識別部
２０…  無線ＬＡＮアクセスポイント（親機）
２１…  無線ＬＡＮ通信部
２２…  モード切替部
２３…  圧縮率確認部
３０…  無線ＬＡＮ端末（子機）
３１…  無線ＬＡＮ通信部
３２…  モード切替部
３３…  拡張子識別部
４０…  クライアント
４１…  無線ＬＡＮ通信部
４２…  ファイル名指定部
４３…  拡張子識別部
４４…  圧縮率確認部
４５…  モード切替部
【図１】
2008005173.tif 000003
【図２】
2008005173.tif 000004
【図３】
2008005173.tif 000005
【図４】
2008005173.tif 000006
【図５】
2008005173.tif 000007
【図６】
2008005173.tif 000008
【図７】
2008005173.tif 000009
【図８】
2008005173.tif 000010
【図９】
2008005173.tif 000011
【図１０】
2008005173.tif 000012
【図１１】
2008005173.tif 000013
【図１２】
2008005173.tif 000014
【図１３】
2008005173.tif 000015
【図１４】
2008005173.tif 000016
【図１５】
2008005173.tif 000017